(57)【要約】【課題】  冠雪や垂れ下がる氷柱等の付着を有効に抑止し、通行する車や人々に安全・安心を提供する、屋外用ＬＥＤ照明灯を提供することを課題とする。【解決手段】  前面に開口部を有する照明灯本体１内に照明用ＬＥＤユニット取付け板２を配置し、照明用ＬＥＤユニット取付け板２の前面側に照明用ＬＥＤユニット３を取付け、照明灯本体１前面の開口部を透明カバー４で覆った、屋外用ＬＥＤ照明灯において、照明灯本体１と、照明用ＬＥＤユニット取付け板２の後面側との間に、遠赤外線面状発熱シート５を配置したことを特徴とする、屋外用ＬＥＤ照明灯を提供する。【選択図】  図１
0003171661.tif 000002
【実用新案登録請求の範囲】
【請求項１】
前面に開口部を有する照明灯本体内に照明用ＬＥＤユニット取付け板を配置し、前記照明用ＬＥＤユニット取付け板の前面側に照明用ＬＥＤユニットを取付け、前記照明灯本体前面の開口部を透明カバーで覆った、屋外用ＬＥＤ照明灯において、前記照明灯本体と、前記照明用ＬＥＤユニット取付け板の後面側との間に、遠赤外線面状発熱シートを配置したことを特徴とする、屋外用ＬＥＤ照明灯。
【請求項２】
前記遠赤外線面状発熱シートを、前記照明用ＬＥＤユニット取付け板の後面に取付けることにより、前記照明灯本体と、前記照明用ＬＥＤユニット取付け板の後面側との間に、前記遠赤外線面状発熱シートを配置してなる、請求項１記載の屋外用ＬＥＤ照明灯。
【請求項３】
前記遠赤外線面状発熱シートが、ナノカーボン塗料を布に含浸した発熱体を、絶縁シートでラミネートしたものである請求項１又は２に記載の屋外用ＬＥＤ照明灯。
【請求項４】
前記遠赤外線面状発熱シートが、交流電源からの通電により発熱するものである、請求項１〜３のいずれかに記載の屋外用ＬＥＤ照明灯。
【請求項５】
前記遠赤外線発熱シートが、太陽光発電パネルで得られる電力を蓄電した充電式電池からの通電により発熱するものである、請求項１〜３のいずれかに記載の屋外用ＬＥＤ照明灯。
【考案の詳細な説明】
【技術分野】
【０００１】
本考案は、冠雪や垂れ下がる氷柱等の付着を有効に抑止し、通行する車や人々に安全・安心を提供する、屋外用ＬＥＤ（発光ダイオード）照明灯に関するものである。
【背景技術】
【０００２】
街路灯、道路照明灯、防犯灯などの屋外用照明灯は、安全・安心な日常生活を過ごす上で、必要不可欠なものである。
しかしながら、特に冬季などには、とりわけ北国では、街路灯、道路照明灯、防犯灯などの屋外用照明灯の上部に多量の雪が冠雪し、場合によってはその重みに耐えかねて、屋外用照明灯がズレたり、曲がったりしてしまうという問題があった。
厳しい環境下では人力での除去作業にも限界があることから、取付け具を強化するなどの処置がとられているが、必ずしも万全なものではなかった。
【０００３】
そこで、照明器具本体を錐体にし、かつ、ランプをランプ取付体を介して照明器具本体に取付けると共に、点灯装置を点灯装置取付体を介して照明器具本体に取付けることにより、ランプ及び点灯装置の発熱を照明器具本体に熱伝導させ、照明器具本体に付着した雪を融雪する照明器具が提案されている（特許文献１）。
【０００４】
この照明器具によれば、照明器具本体に付着した雪を融雪することができるものの、積もった雪が融けて水滴となり、さらに氷柱として垂れ下がることは予想しておらず、氷柱防止に対する構造は取られていないものであった。
照明器具に付着した氷柱が成長し、垂れ下がり、自重に耐え切れず落下した際には、通行人や通行車に危害や被害をもたらす可能性があり、その対策が望まれていた。
【０００５】
ところで、街路灯、道路照明灯、防犯灯などの屋外用照明灯における照明も、水銀灯から電球・蛍光灯・ナトリウム灯へと変化する中で、近年は、省エネ及び長寿命のＬＥＤ照明への変換が急速に進んでいる。
ＬＥＤ照明灯は、エネルギー効率に優れ、消費電力が少ないという利点を有している優れたものであるが、発熱が従来のものより少ないことから、却って融雪しにくいという問題があり、その改善が要望されていた。
【先行技術文献】
【特許文献】
【０００６】
【特許文献１】特開平４−３７０６０３号公報
【考案の概要】
【考案が解決しようとする課題】
【０００７】
本考案は、上記従来の問題を解決するためになされたものであり、その目的とするところは、冠雪や垂れ下がる氷柱等の付着を有効に抑止し、通行する車や人々に安全・安心を提供する、屋外用ＬＥＤ（発光ダイオード）照明灯を提供することにある。
【課題を解決するための手段】
【０００８】
即ち、請求項１に係る本考案は、前面に開口部を有する照明灯本体内に照明用ＬＥＤユニット取付け板を配置し、前記照明用ＬＥＤユニット取付け板の前面側に照明用ＬＥＤユニットを取付け、前記照明灯本体前面の開口部を透明カバーで覆った、屋外用ＬＥＤ照明灯において、前記照明灯本体と、前記照明用ＬＥＤユニット取付け板の後面側との間に、遠赤外線面状発熱シートを配置したことを特徴とする、屋外用ＬＥＤ照明灯を提供するものである。
請求項２に係る本考案は、前記遠赤外線面状発熱シートを、前記照明用ＬＥＤユニット取付け板の後面に取付けることにより、前記照明灯本体と、前記照明用ＬＥＤユニット取付け板の後面側との間に、前記遠赤外線面状発熱シートを配置してなる、請求項１記載の屋外用ＬＥＤ照明灯を提供するものである。
請求項３に係る本考案は、前記遠赤外線面状発熱シートが、ナノカーボン塗料を布に含浸した発熱体を、絶縁シートでラミネートしたものである請求項１又は２に記載の屋外用ＬＥＤ照明灯を提供するものである。
請求項４に係る本考案は、前記遠赤外線面状発熱シートが、交流電源からの通電により発熱するものである、請求項１〜３のいずれかに記載の屋外用ＬＥＤ照明灯を提供するものである。
請求項５に係る本考案は、前記遠赤外線発熱シートが、太陽光発電パネルで得られる電力を蓄電した充電式電池からの通電により発熱するものである、請求項１〜３のいずれかに記載の屋外用ＬＥＤ照明灯を提供するものである。
【考案の効果】
【０００９】
本考案の屋外用ＬＥＤ照明灯は、冠雪や垂れ下がる氷柱等の付着を有効に抑止し、通行する車や人々に安全・安心を提供することができる。
即ち、本考案の屋外用ＬＥＤ照明灯で用いている遠赤外線面状発熱シートによる加熱は、電熱線などによる熱伝導的な加熱と異なり、遠赤外線による熱線伝播的な加熱であることから、屋外用ＬＥＤ照明灯全体に遠赤外線の作用があり、冠雪や垂れ下がる氷柱等の付着を有効に抑止することができる。
従って、本考案によれば、遠赤外線面状発熱シートが発熱し、遠赤外線を放射して、屋外用ＬＥＤ照明灯を暖め、照明灯の上に降り積もった雪や、照明灯から垂れ下がっていたりする氷柱などを除くことができ、良好な視認性を得ることができるばかりか、通行する車や人々に安全・安心を与えることができる。
【図面の簡単な説明】
【００１０】
【図１】本考案の一態様を示す分解説明図である。
【図２】本考案の一態様を示す、正面図である。
【図３】図２の中央部縦断面図である。
【考案を実施するための形態】
【００１１】
本考案は、屋外用ＬＥＤ照明灯に関し、前面に開口部を有する照明灯本体内に照明用ＬＥＤユニット取付け板を配置し、前記照明用ＬＥＤユニット取付け板の前面側に照明用ＬＥＤユニットを取付け、前記照明灯本体前面の開口部を透明カバーで覆った、屋外用ＬＥＤ照明灯において、
前記照明灯本体と、前記照明用ＬＥＤユニット取付け板の後面側との間に、遠赤外線面状発熱シートを配置したことを特徴とするものである。
【００１２】
以下、本考案を図面により詳細に説明する。
図１は、本考案の一態様を示す分解説明図である。次に、図２は、本考案の一態様を示す、正面図である。また、図３は、図２の中央部縦断面図である。
【００１３】
図中、符号Ａは、本考案の屋外用ＬＥＤ照明灯である。
本考案の屋外用ＬＥＤ照明灯Ａは、前面に開口部を有する照明灯本体１内に照明用ＬＥＤユニット取付け板２を配置し、照明用ＬＥＤユニット取付け板２の前面側に照明用ＬＥＤユニット３を取付け、照明灯本体１前面の開口部を透明カバー４で覆ったものであって、その内部構造に特徴がある。
すなわち、照明灯本体１と、照明用ＬＥＤユニット取付け板２の後面側との間に、遠赤外線面状発熱シート５を配置したことを特徴とするものである。
【００１４】
街路灯、道路照明灯、防犯灯などの屋外用照明灯は、安全・安心な日常生活を過ごす上で、必要不可欠な照明灯である。本考案は、ＬＥＤを用いた屋外用ＬＥＤ照明灯に関するものである。
屋外用ＬＥＤ照明灯Ａとしては、街路灯、道路照明灯、防犯灯など、屋外用のＬＥＤ照明灯であれば特に制限されない。
【００１５】
図では、照明灯本体１の形状として、正面から見た形状が略馬蹄形状のものを示しているが、これに限定されるものではなく、正面から見た形状が略楕円形状のもの、略四角形状のものなど、用途等に応じて様々な形状のものを用いることができる。
照明灯本体１は、アルミダイカスト製のものである。
照明灯本体１は、その前面に開口部を有している。この開口部は、後述する透明カバー４で覆われることになる。
【００１６】
本考案の屋外用ＬＥＤ照明灯Ａは、上記の如き、前面に開口部を有する照明灯本体１内に、照明用ＬＥＤユニット取付け板２が配置されている。
照明用ＬＥＤユニット取付け板２は、その前面側に（透明カバーが設けられる側に）、後述する照明用ＬＥＤユニット３が取付けられている。
照明用ＬＥＤユニット取付け板２としては、照明用ＬＥＤユニット３を取付けることができるものであればよく、その形状や材質などに特に制限はないが、通常、略長方形状であって、アルミニウム板からなるものが用いられる。
【００１７】
照明用ＬＥＤユニット３は、表面にＬＥＤを１以上装備（図では合計１０個装備）したものであって、ＬＥＤを照明として活用できるように１枚の基板にまとめたものである。基板表面は、反射板となるように構成されており、基板の裏面にはトランス等、必要な部品が実装されている。このような照明用ＬＥＤユニット３としては、市販されているものを用いることができる。
【００１８】
本考案の屋外用ＬＥＤ照明灯Ａは、上記したように、前面に開口部を有する照明灯本体１内に照明用ＬＥＤユニット取付け板２を配置し、この照明用ＬＥＤユニット取付け板２の前面側に照明用ＬＥＤユニット３を取付け、照明灯本体１前面の開口部を透明カバー４で覆ったものである。
照明灯本体１前面の開口部を覆う透明カバー４は、ポリメタクリル酸メチル（ＰＭＭＡ）（いわゆるアクリルガラス）製のものであるが、必要に応じて、他のプラスチック製やガラス製のものであってもよい。
【００１９】
本考案の屋外用ＬＥＤ照明灯Ａは、以上の如き屋外用ＬＥＤ照明灯において、照明灯本体１と、照明用ＬＥＤユニット取付け板２の後面側との間に、遠赤外線面状発熱シート５を配置したことを特徴とするものである。
【００２０】
遠赤外線面状発熱シート５は、遠赤外線を利用して、屋外用ＬＥＤ照明灯Ａ、特に照明灯本体１を加熱するものである。電熱線などによる熱伝導的な加熱と異なり、遠赤外線面状発熱シート５による加熱は、遠赤外線による熱線伝播的な加熱であることから、屋外用ＬＥＤ照明灯Ａ全体に遠赤外線の作用があり、冠雪や垂れ下がる氷柱等の付着を有効に抑止することができる。
遠赤外線面状発熱シート５として具体的には、ナノカーボン塗料を布に含浸した発熱体を、絶縁シートでラミネートしたもの（面状の発熱体）が用いられる。このものは、厚さが０．８ｍｍ程度の薄くて柔らかいシート状のヒーターである。
【００２１】
本考案では、遠赤外線面状発熱シート５は、照明灯本体１と、照明用ＬＥＤユニット取付け板２の後面側との間に配置されていればよい。図では、照明用ＬＥＤユニット３を取付けるための照明用ＬＥＤユニット取付け板２を利用して、遠赤外線面状発熱シート５が、照明用ＬＥＤユニット取付け板２の後面に取付けられているものを示しているが、この他に、照明灯本体１の内部に貼り付けるようにすることもできる。
【００２２】
この遠赤外線面状発熱シート５は、下記する如き電源からの電流により、遠赤外線輻射率９５％以上で遠赤外線に変換・照射するため、消費電力量が少ない。さらに、この遠赤外線面状発熱シート５は、薄くて柔らかいことから、自由に折り曲げることができる。この遠赤外線面状発熱シート５の最高表面温度は、３０〜３５℃であるため、安全である。
遠赤外線面状発熱シート５から発生する遠赤外線は、６〜１２μｍの波長であって、有害電磁波も出ない、安心・安全な遠赤外線である。
なお、図中、符号６はサーモスタットである。
【００２３】
この遠赤外線面状発熱シート５を、適宜サイズに切断し、両端に電極を設け、これを電源に接続することで、遠赤外線を発し、ＬＥＤ照明灯Ａ全体を暖めることができる。
また、使用に際しては、この遠赤外線面状発熱シート５は、耐久性に優れ、維持メンテナンス費用も少なくて済む。
なお、必要に応じて、遠赤外線面状発熱シート５を、スチール製又はステンレス・スチール製の金属薄板とサンドイッチするなど、他の材料と組み合わせた形で用いることができる。
【００２４】
この遠赤外線面状発熱シート５の電源としては、屋外用ＬＥＤ照明灯の電源として通常用いられている交流（ＡＣ）１００Ｖ又は２００Ｖがそのまま用いられ、交流電源からの通電により遠赤外線面状発熱シート５が発熱する。サーモスタット６の一端が電源と接続され、他端が遠赤外線面状発熱シート５と接続されている。
なお、必要に応じて、直流電源（１２Ｖ又は２４Ｖなど）を用いることもできる。即ち、例えば、クリーンエネルギーである太陽光発電パネルで得られる電力を蓄電した充電式電池（直流電源）からの通電により発熱するものであってもよい。
【００２５】
通電のコントロールは、サーモスタット６により行う。このサーモスタット６により、例えば、気温が５℃以下に下がると電源ＯＮとなって発熱し、気温が＋１０℃で電源ＯＦＦとなるように設定しておくと、自動コントロールが可能となり、気温＋５℃以下とならなければ通電することのない省エネ型のものとなる。
【００２６】
このような本考案の屋外用ＬＥＤ照明灯Ａを、例えば積雪地域や標高の高い場所に設置しておくと、気温が下がり、例えば気温が＋５℃以下になった場合、バイメタル式のサーモスタット６の働きで電源ＯＮとなり、遠赤外線面状発熱シート５が発熱し、遠赤外線を放射して（遠赤外線の放射効果と発熱作用で）、屋外用ＬＥＤ照明灯Ａ全体を暖め、冠雪や垂れ下がる氷柱等の付着を有効に抑止することができる。そして、気温が上がり、例えば気温が＋１０℃となると電源ＯＦＦとなる。
【００２７】
従って、本考案によれば、遠赤外線面状発熱シートが発熱し、遠赤外線を放射して、屋外用ＬＥＤ照明灯を暖め、照明灯の上に降り積もった雪や、照明灯から垂れ下がっていたりする氷柱などを除くことができ、良好な視認性を得ることができるばかりか、通行する車や人々に安全・安心を与えることができる。
【符号の説明】
【００２８】
Ａ：屋外用ＬＥＤ照明灯
１：照明灯本体
２：照明用ＬＥＤユニット取付け板
３：照明用ＬＥＤユニット
４：透明カバー
５：遠赤外線面状発熱シート
６：サーモスタット
【図１】
0003171661.tif 000003
【図２】
0003171661.tif 000004
【図３】
0003171661.tif 000005